(57)【要約】      （修正有）【課題】微細塵埃濃度測定とガス成分及び濃度測定が可能でセンサーの大きさを減少させ、総電力消耗量も顕著に低減させることができる複合環境センサーを提供する。【解決手段】ガスセンサー部１０は、空気内に含まれた特定ガス成分を感知し、この過程で熱エネルギーを発散させる。空気は、前記熱エネルギーを含む要因によって流動して、ハウジング３０内に具備された光源部２１、光検出部２２及び算出部を含む微細塵埃測定センサー部に前記空気内の微細塵埃濃度を測定させる。【選択図】図３
2016218033.tif 000002
【特許請求の範囲】
【請求項１】
流入される空気に含まれた一つまたは二つ以上のガス成分を感知するガスセンサー部と、
前記ガスセンサー部によって流動する空気の微細塵埃濃度を測定する微細塵埃測定センサー部と、
を含む複合環境センサー。
【請求項２】
前記ガスセンサー部は、
揮発性有機化合物（ＶＯＣ）、窒素酸化物（ＮＯｘ）、一酸化炭素（ＣＯ）、二酸化炭素（ＣＯ２）、硫酸化物（ＳＯｘ）、オゾン（Ｏ３）からなる群より選択される一つまたは二つ以上のガス成分を感知することができるガスセンサーモジュールで構成されることを特徴とする請求項１に記載の複合環境センサー。
【請求項３】
前記ガスセンサー部は、
マイクロヒーターを含むことを特徴とする請求項１に記載の複合環境センサー。
【請求項４】
内部に空気が流入される流入口及び内部を通過した空気が排出される排出口が形成されたハウジングをさらに含み、
前記ガスセンサー部及び微細塵埃測定センサー部は、
前記ハウジング内に配置されることを特徴とする請求項１に記載の複合環境センサー。
【請求項５】
前記ガスセンサー部は、
前記ハウジングの流入口を通じて流入される空気に含まれる一つまたは二つ以上のガス成分を感知し、
前記微細塵埃測定センサー部は、
前記ガスセンサー及び排出口間の領域に配置されることを特徴とする請求項４に記載の複合環境センサー。
【請求項６】
前記ガスセンサー部は、
前記ハウジングの下部面または側面に付着して配置されることを特徴とする請求項５に記載の複合環境センサー。
【請求項７】
前記流入口に空気が流入されるように空気の流動を形成するポンプをさらに含むことを特徴とする請求項４に記載の複合環境センサー。
【請求項８】
前記微細塵埃測定センサー部は、
光源部と、
前記光源部から放出される光が空気内に含まれた微細塵埃によって散乱する光を感知して対応する電気的信号を生成する光検出部と、
前記光検出部を通じて検出された電気的信号を利用して微細塵埃濃度を算出する算出部と、
を含むことを特徴とする請求項１に記載の複合環境センサー。
【請求項９】
前記光源部は、
白色光ダイオード、赤外線ＬＥＤダイオード、レーザーダイオードのうち選択されるいずれか一つ以上で構成されることを特徴とする請求項８に記載の複合環境センサー。
【請求項１０】
前記微細塵埃測定センサー部は、
前記空気中の微細塵埃を濾過するフィルターと、
前記フィルターによって濾過された微細塵埃の重さ情報を利用して微細塵埃濃度を算出する算出部とを含むことを特徴とする請求項１に記載の複合環境センサー。
【請求項１１】
前記ガスセンサー部は、動作過程で熱エネルギーを発散させ、
空気は、前記熱エネルギーを含む要因によって流動することを特徴とする請求項１に記載の複合環境センサー。
【請求項１２】
光源部及びカメラモジュールを含む携帯用端末機に結合して、前記携帯用端末機に空気の微細塵埃濃度及びガス成分を感知させる複合環境センサーにおいて、
前記携帯用端末機に結合し、内部に空気が流入される流入口及び内部を通過した空気が排出される排出口が形成されたハウジングと、
前記ハウジング内部に配置され、前記流入口を通じて流入される空気に含まれた一つまたは二つ以上のガス成分を感知し、前記情報を前記携帯用端末機に提供するガスセンサー部と、
前記携帯用端末機の光源部から照射された光が前記ガスセンサー部によって流動する空気に対して照射されるように誘導する光誘導部と、
前記光誘導部によって照射されて前記空気内に含まれた微細塵埃によって散乱する光を前記携帯用端末機のカメラモジュールが感知するように誘導する光検出誘導部と、
を含む複合環境センサー。
【請求項１３】
前記光検出誘導部は、
空気内に含まれた微細塵埃によって散乱する光を収れんするレンズモジュールを含むことを特徴とする請求項１２に記載の複合環境センサー。
【請求項１４】
内部に空気が流入される流入口及び内部を通過した空気が排出される排出口が形成されたハウジングと、
前記ハウジング内部に配置され、前記流入口を通じて流入される空気に含まれた一つまたは二つ以上のガス成分を感知するガスセンサー部と、
前記ハウジング内部に配置され、前記ガスセンサー部から発生する熱によって流動する空気に対して光を照射する光源部と、
前記光源部から照射されて前記空気内に含まれた微細塵埃によって散乱する光を感知して対応する電気的信号を生成する光検出部と、
前記光検出部を通じて測定される電気的信号を利用して微細塵埃濃度を算出する算出部と、
を含む複合環境センサー。
【発明の詳細な説明】
【技術分野】
【０００１】
本発明は、微細塵埃濃度の測定とガス成分の感知が可能な複合環境センサーに関する。さらに詳しくは、全体ハウジング内に微細塵埃測定部及びがス成分測定部を同時に配置させることで、全体環境センサーの大きさを減少させ、総電力消耗量も顕著に低減させることができる複合環境センサーに関する。
【背景技術】
【０００２】
経済が発展するにつれて生活水準が段々向上され、空気質などに対する関心も増加して、使用者がより快適でかつきれいな空気を望む時代となった。
【０００３】
これにより、住宅は、人間の人生の質的向上を追求するために、絶えなく多様な機能を適用しながら改良されている。特に、各種の環境汚染機械装置や自動車等から排出される空気に含有される各種の微細塵埃及び異物によって健康を脅威する問題などにより、多様な空気清浄機が発売されて販売されているが、空気清浄機だけでは、空気質が望むほど改善されないという問題点がある。
【０００４】
そこで、利用者の健康及び便宜のために、空気質をリアルタイムで監視してより正確でかつ簡便に空気質を診断し、これに基づいて、空気質を速やかに改善することができる技術の開発が要求されている。
【０００５】
これによる従来技術の一例として、特許文献１を提示する。図１は、この特許の代表図面である。
【０００６】
図１に示すように、特許文献１に提示された室内空気汚染度の測定装置は、室内空気の各種状態を感知する感知部１と、前記感知部１で感知した測定信号を受けて増幅してフィルタリングした後、デジタルデータに変換する信号処理部２と、前記信号処理部２を通じて測定データの入力を受け、測定されたデータについて予め格納されているデータ表示アルゴリズムと分析アルゴリズムによって測定データを表示すると共に、比較分析によってアラーム及び表示を制御する制御部３とを含む。この時、前記感知部１は、温度センサー、湿度センサー、一酸化炭素センサー、二酸化炭素センサー、塵埃センサーが組み込まれ、それぞれ温度、湿度、一酸化炭素量、二酸化炭素量、塵埃量をセンシングすることを特徴とする。
【０００７】
これを通じて室内空気の汚染度を正確に測定することができ、測定分析された室内空気の質を客観的に見られるように表示することで、使用者に装置の親近感を与え、室内環境に対する重要さを認識させることができるという効果がある。
【０００８】
但し、従来技術のように複数個のセンサーをそれぞれ独立して構成すると、全体測定装置の大きさは、追加されるセンサーの個数に比例して増加するという問題点があり、これらの各々を駆動させるために電力量も増加するという問題点がある。
【先行技術文献】
【特許文献】
【０００９】
【特許文献１】大韓民国登録特許第１０−１１６０９８６号（２０１２．０６．２２）
【発明の概要】
【発明が解決しようとする課題】
【００１０】
本発明は、上記のような問題点を解決するために案出されたもので、従来に対比して全体センサーシステムの大きさを減少させた複合環境センサーを提供する。
【００１１】
また、全体的に必要とする素子の数を減少させることで、消費電力量も減少させることができる複合環境センサーを提供する。
【００１２】
また、環境センサー部間の有機的な配置構造を通じて、全体測定装置内に必要な素子の個数を減らすことで、製造費用も減少させることができる複合環境センサーを提供する。
【課題を解決するための手段】
【００１３】
本発明の一側面に係る複合環境センサーは、流入される空気に含まれた一つまたは二つ以上のガス成分を感知するガスセンサー部と、前記ガスセンサー部によって流動する空気の微細塵埃濃度を測定する微細塵埃測定センサー部とを含む。
【００１４】
一例として、前記ガスセンサー部は、揮発性有機化合物（ＶＯＣ）、窒素酸化物（ＮＯｘ）、一酸化炭素（ＣＯ）、二酸化炭素（ＣＯ２）、硫酸化物（ＳＯｘ）、オゾン（Ｏ３）からなる群より選択される一つまたは二つ以上のガス成分を感知することができるガスセンサーモジュールで構成される。
【００１５】
好ましい例として、前記ガスセンサー部は、マイクロヒーターを含む。
【００１６】
本発明に係る複合環境センサーは、内部に空気が流入される流入口及び内部を通過した空気が排出される排出口が形成されたハウジングをさらに含み、前記ガスセンサー部及び微細塵埃測定センサー部は、前記ハウジング内に配置される。
【００１７】
前記ガスセンサー部は、前記ハウジングの流入口を通じて流入される空気に含まれる一つまたは二つ以上のガス成分を感知し、前記微細塵埃測定センサー部は、前記ガスセンサー及び排出口間の領域に配置される。
【００１８】
一実施例により、前記ガスセンサー部は、前記ハウジングの下部面または側面に付着して配置される。
【００１９】
追加的な実施例として、本発明に係る複合環境センサーは、前記流入口に空気が流入されるように空気の流動を形成するポンプをさらに含む。
【００２０】
前記微細塵埃測定センサー部は、多様な技術構成を有する。
一例として、前記微細塵埃測定センサー部は、光源部と、前記光源部から放出される光が空気内に含まれた微細塵埃によって散乱する光を感知して対応する電気的信号を生成する光検出部と、前記光検出部を通じて検出された電気的信号を利用して微細塵埃濃度を算出する算出部とを含む。
この時、前記光源部は、白色光ダイオード、赤外線ＬＥＤダイオード、レーザーダイオードのうち選択されるいずれか一つ以上で構成される。
【００２１】
他の例として、前記微細塵埃測定センサー部は、前記空気中の微細塵埃を濾過するフィルターと、前記フィルターによって濾過された微細塵埃の重さ情報を利用して微細塵埃濃度を算出する算出部とを含む。
【００２２】
このように構成された複合環境センサーにおいて、前記ガスセンサー部は、動作過程で熱エネルギーを発散させ、空気は、前記熱エネルギーを含む要因によって流動する。
【００２３】
本発明の他の側面に係る複合環境センサーは、光源部及びカメラモジュールを含む携帯用端末機に結合して、前記携帯用端末機に空気の微細塵埃濃度及びガス成分を感知させるように構成される。
【００２４】
このような複合環境センサーは、前記携帯用端末機に結合し、内部に空気が流入される流入口及び内部を通過した空気が排出される排出口が形成されたハウジングと、前記ハウジング内部に配置され、前記流入口を通じて流入される空気に含まれた一つまたは二つ以上のガス成分を感知し、前記情報を前記携帯用端末機に提供するガスセンサー部と、前記携帯用端末機の光源部から照射された光が前記ガスセンサー部によって流動する空気に対して照射されるように誘導する光誘導部と、前記光誘導部によって照射されて前記空気内に含まれた微細塵埃によって散乱する光を前記携帯用端末機のカメラモジュールが感知するように誘導する光検出誘導部とを含む。
【００２５】
さらに、前記光検出誘導部は、空気内に含まれた微細塵埃によって散乱する光を収れんするレンズモジュールを含む。
【００２６】
本発明のまた他の側面に係る複合環境センサーは、内部に空気が流入される流入口及び内部を通過した空気が排出される排出口が形成されたハウジングと、前記ハウジング内部に配置され、前記流入口を通じて流入される空気に含まれた一つまたは二つ以上のガス成分を感知するガスセンサー部と、前記ハウジング内部に配置され、前記ガスセンサー部から発生する熱によって流動する空気に対して光を照射する光源部と、前記光源部から照射されて前記空気内に含まれた微細塵埃によって散乱する光を感知して対応する電気的信号を生成する光検出部と、前記光検出部を通じて測定される電気的信号を利用して微細塵埃濃度を算出する算出部とを含む。
【発明の効果】
【００２７】
本発明の好ましい実施例に係る複合環境センサーは、密閉したハウジング構造内の一つまたは二つ以上のガスを感知することができるガスセンサー部及び微細塵埃測定センサー部を共に配置させることで、周辺空気に対するガス成分及び濃度を測定すると共に、前記空気に含まれた微細塵埃濃度を測定することができるという効果がある。
【００２８】
また、本発明に係る複合環境センサーにおいて、ガスセンサー部の動作過程で熱が発生する現象を活用して、全体測定装置内の空気の流動方向を制御することができるという効果がある。
【００２９】
また、上記のような特性により、全体測定装置内には、空気の流動性を制御する別途の技術構成が不要であり、全体製造費用も減少させることができるという効果がある。
【図面の簡単な説明】
【００３０】
【図１】従来技術としての特許文献１の代表図である。
【図２】本発明に係る複合環境センサーを示した概念図である。
【図３】本発明の一実施例に係る複合環境センサーを示した図面である。
【図４】本発明の他の実施例に係る複合環境センサーを示した図面である。
【発明を実施するための形態】
【００３１】
本発明は、多様な変換を加えることができ、様々な実施例を有することができるので、特定の実施例を図面に例示して、詳細な説明に詳しく説明する。しかし、これは、本発明の特定の実施形態について限定するものではなく、本発明の思想及び技術範囲に含まれる全ての変換、均等物または代替物を含むものと理解すべきである。本発明を説明するにあたって、関連の公知技術に対する具体的な説明が本発明の要旨を曖昧にし得ると判断される場合、その詳しい説明を省略する。
【００３２】
第１、第２などの用語は、多様な構成要素を説明することに使用されるが、上記構成要素は、上記用語によって限定されてはならない。上記用語は、一つの構成要素を他の構成要素から区別する目的のみで使用する。
【００３３】
本出願で使用した用語は、単に特定の実施例を説明するために使用されたもので、本発明を限定する意図ではない。単数の表現は、文脈上明らかに異なって意味しない限り、複数の表現を含む。本出願において、「含む」または「有する」などの用語は、明細書上に記載された特徴、数字、段階、動作、構成要素、部品またはこれらの組み合わせが存在することを指定するものであり、一つまたはそれ以上の他の特徴や数字、段階、動作、構成要素、部品またはこれらの組み合わせなどの存在または付加可能性を予め排除しないと理解すべきである。
【００３４】
以下、本発明の実施例を添付の図面を参照して詳しく説明する。
図２は、本発明に係る複合環境センサーを示した概念図である。
図２に示すように、本発明に係る複合環境センサーは、ガスセンサー部１０及び微細塵埃測定センサー部２０を含む。
【００３５】
先ず、本発明において、適用可能なガスセンサー部１０では、空気内に含まれたガス成分を検出することができる全ての技術構成が適用されることができる。一例として、前記ガスセンサー部１０では、揮発性有機化合物（ＶＯＣ）、窒素酸化物（ＮＯｘ）、一酸化炭素（ＣＯ）、二酸化炭素（ＣＯ２）、硫酸化物（ＳＯｘ）、オゾン（Ｏ３）からなる群より選択される一つまたは二つ以上のガス成分を感知することができるガスセンサーモジュールが適用される。この時、前記ガスセンサーモジュールは、測定しようとするガス成分の種類によって単一のガスセンサーで構成されてもよく、複数個のガスセンサーで構成されてもよい。
【００３６】
このようなガスセンサーモジュールは、それぞれの特性化したガス成分を感知するために、一定以上の温度に加熱しなければならない。一般的に、ガスセンサーモジュールは、ガス分子が表面に吸着した時に前記表面の特性変化（抵抗変化、電気伝導度変化など）を通じて当該ガスの有無を測定する。以後、他の空気を感知するためには、予めセンサー表面に吸着されているガス分子を引き離せばこそ再測定が可能であり、このため、一定以上の温度に加熱して吸着されたガス分子を分離する作業が必要となる。
【００３７】
本発明に係るガスセンサー部１０は、このようにガス成分測定のためのセンサー表面部に吸着されているガス分子を引き離すために別途のヒーターモジュールを含んでもよく、好ましくは、マイクロヒーターを含む。これを通じて、ガスセンサー部１０の大きさを小型化させることができ、窮極的には、前記ガスセンサー部１０を含む複合環境センサーの大きさも小型化させることができる。
【００３８】
このようなガスセンサー部１０のガス成分感知方式によって空気は流動し、これにより、前記空気は、微細塵埃測定センサー部２０を通過するように流動する。この時、前記空気の流動原因としては、多様な事項が適用される。一例として、ガスセンサー部１０で発生する熱エネルギーと共に別途に具備されたポンプモジュールなどの組み合わせによって空気の流動が発生し得る。本発明では、このような多様な流動原因が組み合わされて適用される。
【００３９】
微細塵埃測定センサー部２０は、上記のようなガスセンサー部１０によって流動する空気の微細塵埃濃度を測定する。この時、前記微細塵埃測定センサー部２０は、重量法、ベータ線吸収法、光散乱法、光透過法などの微細塵埃測定方法を利用して空気内の微細塵埃濃度を測定することができる。
【００４０】
重量法とは、濾過紙（フィルター）を利用して一定量の空気を濾過させ、前記濾過紙の重量の差を利用して、空気内の微細塵埃濃度を測定する方法を意味する。次いで、ベータ線吸収法とは、空気中に浮遊している微細塵埃を濾過紙上に捕集して、ベータ線を透過させて粒子状物質の重量濃度を連続的に測定する方法である。
【００４１】
光散乱法とは、粒子状物質に光を照射すれば光が散乱する原理を利用して散乱光の量を測定し、その値に基づいて微細塵埃濃度を測定する方法を意味する。
【００４２】
以下、図３などでは、光散乱法を適用した微細塵埃測定センサー部２０と具体化して説明するが、前記微細塵埃測定センサー部２０として他の測定方法及びこのための必須技術要素も適用可能であることは、当業者なら理解できるはずである。
【００４３】
追加の説明のための一実施例において、微細塵埃測定センサー部２０が重量法を利用して微細塵埃濃度を測定する場合、前記微細塵埃測定センサー部２０は、前記空気中の微細塵埃を濾過するフィルターと、前記フィルターによって濾過された微細塵埃の重さ情報を利用して微細塵埃濃度を算出する算出部とを含むように構成される。
【００４４】
以下、図３及び図４では、本発明の一実施例に係る複合環境センサーについて詳しく説明する。
【００４５】
図３は、本発明の一実施例に係る複合環境センサーを示した図面である。
図３に示すように、本発明に係る複合環境センサーは、ガスセンサー部１０、光源部２１及び光検出部２２を含む微細塵埃測定センサー部、ハウジング３０を含む。この時、前記ガスセンサー部１０、微細塵埃測定センサー部は、前記ハウジング３０内に具備される。
【００４６】
ハウジング３０は、内部に空気が流入される流入口３１及び内部を通過した空気が排出される排出口３２が形成されている。
【００４７】
ガスセンサー部１０は、このようなハウジング３０内部に配置され、前記流入口３１を通じて流入される空気に含まれた一つまたは二つ以上のガス成分を感知する。この時、感知されるガス成分は、ガスセンサー部１０の種類によって選択的に適用され、一つまたは二つ以上のセンサーモジュールで構成されてもよい。一例として、前記ガスセンサー部１０は、硫酸化物（ＳＯｘ）センサー、一酸化炭素（ＣＯ）センサー、オゾン（Ｏ３）センサーが全て具備されたセンサーモジュールで構成される。
【００４８】
このようなガスセンサー部１０は、動作過程でセンサー表面部に吸着したガス成分を除去するために、一定温度以上に加熱され、この過程で、前記ガスセンサー部１０は、流入される空気を流動させる。図３に示すように、前記ガスセンサー部１０は、ハウジング３０の流入口３１に近接するように前記ハウジング３０の下部面に配置した時、流入口３１を通じて引入れられた空気は、ガスセンサー部１０を通過しながらガスセンサー１０から獲得した熱エネルギーを含む追加的な流動原因によってハウジング３０の上部方向に流動する。このように流動する空気は、光源部２１及び光検出部２２を含む微細塵埃測定センサー部を通過して排出口３２を通じて外部に排出される。
【００４９】
つまり、本発明に適用可能な実施例に係る複合環境センサーにおいて、ガスセンサー部１０は、ガス成分の感知及び以後流動する空気が微細塵埃測定センサー部を適切に通過させる位置に配置され、微細塵埃測定センサー部２０は、前記ガスセンサー部１０及び排出口３２間の領域に配置され、前記空気の微細塵埃濃度を測定する。
【００５０】
この時、前記ガスセンサー部１０は、実施例によって前記ハウジング３０の下部面または側面に付着して配置される。但し、これは一実施例に過ぎず、前記ガスセンサー部１０は、引入れられた空気が流動して前記ハウジング３０の排出口３２に排出させることができる位置であれば、どこでも配置可能である。
【００５１】
このように、本発明において、ガスセンサー部１０は、空気内に含まれた特定ガス成分を感知し、この過程で熱エネルギーを発散させる。空気は、前記熱エネルギーを含む要因によって流動して、ハウジング３０内に具備された微細塵埃測定センサー部２０に前記空気内の微細塵埃濃度を測定させることを特徴とする。
【００５２】
微細塵埃測定センサー部２０は、光源部２１、光検出部２２及び算出部を含む。先ず、ハウジング３０内に配置された光源部２１は、前記ガスセンサー部１０によって流動する空気に対して光を照射し、光検出部２２は、前記光源部２１から照射されて前記空気内に含まれた微細塵埃によって散乱する光を感知して対応する電気的信号を生成する。別途に構成された算出部（図示せず）は、前記光検出部２２を通じて測定される電気的信号を利用して微細塵埃濃度を算出する。
【００５３】
本発明に適用可能な実施例において、前記光源部２１は、空気に対して一定強度の光を照射する機能を行う。この時、空気内に微細塵埃が含まれれば、前記光は、微細塵埃によって散乱し、これにより、光源部２１から照射された光は、特定角度に屈折する。
【００５４】
光検出部２２は、上記のように散乱した光を感知する機能をする。一般的に、前記光検出部２２は、前記光源部２１から照射された光が直接的に感知されない位置に配置され、好ましくは、空気内の微細塵埃によって散乱光が発生されればこそ光が感知できる位置に配置される。これを通じて、微細塵埃測定センサー部２０は、より信頼性高く微細塵埃濃度を測定することができる。
【００５５】
このような光源部２１としては、一定方向に光が照射可能なあらゆる光源モジュールが適用されることができ、一例として、白色光ダイオード、赤外線ＬＥＤダイオード、レーザーダイオードのうち選択されるいずれか一つ以上で構成される。即ち、前記光源部２１は、微細塵埃の測定方法及び規格によって選択的に適用される。
【００５６】
光検出部２２は、微細塵埃による散乱光が感知できる素子として、フォトダイオード（ＰｈｏｔｏＤｉｏｄｅ）などの素子で構成される。
【００５７】
好ましくは、前記光源部２１及び光検出部２２は、光学レンズなどを含むことで、照射される光が収れん（または集光）できるようにするか、散乱した光を感知する効率を高めることができる。他の実施例において、前記ハウジング内部に散乱された光が前記光検出部２２に向かう方向に反射させることができるミラーをさらに具備してもよい。
【００５８】
図３は、本発明に適用可能な実施例に過ぎず、前記光源部２１及び光検出部２２は、図３と違って、空気内の微細塵埃濃度を測定し易い位置及び構図に変更して配置されてもよい。
【００５９】
一例として、図３のようにガスセンサー部１０が前記ハウジング３０内の下部面に配置される場合、光源部２１及び光検出部２２は、それぞれハウジング３０の左側面または右側面に配置される。この時、前記光源部２１及び光検出部２２は、微細塵埃による散乱光を測定し易いように、一定角度でチルト（Ｔｉｌｔ）して配置される。
【００６０】
このように構成された微細塵埃測定センサー部２０をモジュールを通じて空気内の濃度を測定し、前記微細塵埃測定センサー部２０を通過した空気は、排出口３２を通じて外部に排出される。
【００６１】
この時、前記ハウジング３０の流入口３１に外部空気が流入されるように空気の流動を形成するポンプ（図示せず）がさらに具備される。前記ポンプは、外部の空気がハウジング３０の内部に流入し易くすることで、本発明に係る複合センサーは、空気に含まれたガス成分及び微細塵埃濃度測定を容易にすることができる。
【００６２】
このような複合環境センサーは、携帯用端末機とも結合されてもよく、これについては図４を通じて詳しく説明する。
【００６３】
図４は、本発明の他の実施例に係る複合環境センサーを示した図面である。
図４に示すように、他の実施例に係る複合環境センサーは、光源部４１及びカメラモジュール４２を含む携帯用端末機４０に結合して構成される。
【００６４】
先ず、携帯用端末機４０は、光源部４１及びカメラモジュール４２を含み、イメージ映像情報の格納及び分析が可能な全ての機器を通称する。一例として、アイフォン（Ｉ−ｐｈｏｎｅ）、アンドロイドフォン（ａｎｄｒｉｏｄ  ｐｈｏｎｅ）などのスマートフォンが適用される。
【００６５】
この時、図４では、説明の便宜のために、光源部４１及びカメラモジュール４２が横方向に一定間隔離隔して形成され、これにより、光誘導部３３及び光検出誘導部３４も横方向に一定間隔離隔して形成される技術構成として限定して示したが、本発明に係る複合環境センサーは、光源部及びカメラモジュールの配置構造によって適応的に変更して構成されてもよい。
【００６６】
この時、前記携帯用端末機４０は、ハウジング３０の光誘導部３３及び光検出誘導部３４を通じて感知された微細塵埃濃度及び前記ガスセンサー部３０を通じて感知された情報を獲得して、周辺空気に対する総合的な環境情報を獲得する。
【００６７】
この時、ハウジング３０は、前記携帯用端末機に結合し、内部に空気か流入される流入口３１及び内部を通過した空気が排出される排出口３２が形成される。
【００６８】
この時、前記ハウジング３０の内部には、ガスセンサー部１０が配置され、前記ガスセンサー部１０は、動作過程時に熱エネルギーが発生し、これにより、前記流入口３１を通じて流入された空気は、流動してハウジング３０の排出口３２に向かって排出される。
【００６９】
前記実施例において、本発明に係る複合環境センサーは、別途の光源部及び光検出部を具備せず、代わりに、携帯用端末機４０に形成された光源部４１及びカメラモジュール４２を活用して空気内の微細塵埃濃度を測定する。
【００７０】
このため、前記ハウジング３０には、さらに光誘導部３３及び光検出誘導部３４が形成される。
【００７１】
先ず、光誘導部３３は、前記携帯用端末機４０の光源部４１から照射された光が前記ハウジング３０内部に照射されるように誘導する。このため、光誘導部３３は、前記光源部４１の光が漏れないように前記光源部４１に密着して結合され、光繊維で構成されて光源部４１の光をハウジング３０内部に誘導する。
【００７２】
他の一例として、前記光誘導部３３は、複数個のミラー部材で構成されてもよく、その他に前記光源部４１で照射された光を前記ハウジング３０内部に誘導することができる全ての技術構成を適用してもよい。
【００７３】
このような光誘導部３３は、前記携帯用端末機４０の光源部４１から照射された光を誘導して前記ガスセンサー１０から発生する熱によって流動する空気に照射されるようにする。
【００７４】
この時、前記光誘導部３３は、さらにレンズモジュールを含んでもよい。これにより、図４に示すように、光源部４１から誘導された光が一定領域に集光されて照射されるように構成される。
【００７５】
光検出誘導部３４は、携帯用端末機４０のカメラモジュール４２と結合して前記光誘導部３３によって照射された光の中で、微細塵埃によって散乱する光が前記携帯用端末機４０のカメラモジュール４２によって感知されるように誘導する。
【００７６】
好ましくは、前記光検出誘導部は、空気内に含まれた微細塵埃によって散乱する光を収れんするレンズモジュールを含むことで、散乱光の検出正確度を向上させることができる。
【００７７】
このように光検出誘導部３４を通じてカメラモジュール４２が感知した散乱光情報を利用して、携帯用端末機４０は、流入された空気内の微細塵埃濃度を測定する。このため、携帯用端末機４０は、自体アルゴリズムなどのプログラムを活用し、このような演算は、ＣＰＵ（Ｃｅｎｔｒａｌ  Ｐｒｏｃｅｓｓｉｎｇ  Ｕｎｉｔ）などの演算処理装置で行われる。
【００７８】
即ち、前記携帯用端末機４０は、前記カメラモジュール４２が前記光検出誘導部３４を通じて光を感知して生成した電気的信号に基盤して微細塵埃濃度を測定する。
【００７９】
さらに、前記ガスセンサー部１０は、別途の通信モジュールを具備して前記携帯用端末機４０にセンシング情報を提供する。例えば、携帯用端末機４０に具備されたイヤホン連結端子を通じた有線通信でセンシング情報を提供してもよく、ガスセンサー部１０に具備されたブルトゥース、ＮＦＣなどの別途の無線通信モジュールを通じてセンシング情報を提供してもよい。
【００８０】
このように、図３及び図４に示した複合環境センサーによると、従来に対比して小型化された技術構成を活用して、周辺空気の微細塵埃濃度と共にガス成分の検知が可能となる。このように測定されたガス成分情報及び微細塵埃濃度情報は、有線または無線通信を通じて携帯用端末機または別途の処理装置を通じて総合的に検出及び管理されることができ、このような情報は、前記携帯用端末機のディスプレー部または別途のディスプレー装置を通じて使用者に提供されることができる。
【００８１】
これまで本発明について好ましい実施例を中心として検討した。本発明が属する技術分野で通常の知識を持った者は、本発明が本発明の本質的な特性から逸脱しない範囲で変形された形態に具現可能であることが理解できるであろう。従って、開示された実施例は、限定的な観点ではなく、説明的な観点で考慮されるべきである。本発明の範囲は、前述した説明ではなく、特許請求の範囲に表れており、それと同等の範囲内にある全ての差異点は、本発明に含まれていると解釈されるべきである。
【符号の説明】
【００８２】
１０：ガスセンサー部
２０：微細塵埃測定センサー部
２１：光源部
２２：光検出部
３０：ハウジング
３１：流入口
３２：排出口
３３：光誘導部
３４：光検出誘導部
４０：携帯用端末機
４１：光源部
４２：カメラモジュール
【図１】
2016218033.tif 000003
【図２】
2016218033.tif 000004
【図３】
2016218033.tif 000005
【図４】
2016218033.tif 000006